(57)【要約】【課題】表面の外観を長期にわたって平坦面状に保つ風呂蓋を提供する。【解決手段】蓋内部空間７に充填された硬質の発泡体３に裏面１ｂが接着された第１面材１と、第１面材１の表て面１ａに周端縁部１２のみを固着して中間域を非接着状態で重ね合わせた第２面材２とを、備えている。【選択図】図２
2017000315.tif 000002
【特許請求の範囲】
【請求項１】
蓋内部空間（７）に充填された硬質の発泡体（３）に裏面（１ｂ）が接着された第１面材（１）と、該第１面材（１）の表て面（１ａ）に周端縁部（１２）のみを固着して中間域を非接着状態で重ね合わせた第２面材（２）とを、備えたことを特徴とする風呂蓋。
【請求項２】
蓋内部空間（７）に充填された硬質の発泡体（３）に裏面（１ｂ）が接着された第１面材（１）と、該第１面材（１）の表て面（１ａ）に周端縁部（１４）のみを固着して中間域を非接着状態で重ね合わせたシート状弾性体（４）と、該シート状弾性体（４）に重ね合わせた第２面材（２）とを、備えたことを特徴とする風呂蓋。
【発明の詳細な説明】
【技術分野】
【０００１】
本発明は、風呂蓋に関する。
【背景技術】
【０００２】
従来、中間層の発泡断熱材の上下両面を表面材でサンドイッチ状に被覆した風呂蓋が知られている（特許文献１参照）。
【先行技術文献】
【特許文献】
【０００３】
【特許文献１】特開２０１３−７０８２９号公報
【発明の概要】
【発明が解決しようとする課題】
【０００４】
しかし、従来の風呂蓋は、図７と図８に示すように、断熱材として硬質発泡ウレタン等の発泡体３０を内部に有し、発泡体３０の上面及び下面に、合成樹脂から成る表面材３１，３１を接着一体化したものである。使用者が身体の支えとして手を突いたり、足で踏みつけたり、あるいは、物が落下した際に、発泡体３０に圧縮永久変形による凹みＺが生じて、圧縮力を取り除いた後も表面材３１が元の形状に戻らず、風呂蓋の表面に凹みＺが発生するという欠点があった。即ち、発泡体３０は、復元性が乏しく、圧縮永久変形を生じ易く、それに接着一体化した表面材３１も一体として凹みＺを残してしまう。
【０００５】
そこで、本発明は、表面の外観を長期にわたって平坦面状に保つ風呂蓋を提供することを目的とする。
【課題を解決するための手段】
【０００６】
本発明に係る風呂蓋は、蓋内部空間に充填された硬質の発泡体に裏面が接着された第１面材と、該第１面材の表て面に周端縁部のみを固着して中間域を非接着状態で重ね合わせた第２面材とを、備えたものである。
【０００７】
また、蓋内部空間に充填された硬質の発泡体に裏面が接着された第１面材と、該第１面材の表て面に周端縁部のみを固着して中間域を非接着状態で重ね合わせたシート状弾性体と、該シート状弾性体に重ね合わせた第２面材とを、備えたものである。
【発明の効果】
【０００８】
本発明の風呂蓋によれば、第２面材の外側から圧縮力が加わって発泡体に凹みが発生した場合であっても、圧縮力を取り除けば第２面材が平面状に復元でき、外観上凹みが見えず、見た目の平滑性を維持できる。生産上の凹凸不良が解消でき、製造能率を向上できる。また、第２面材のみを取外して容易に交換することができ、例えば、第２面材の模様や色彩等の意匠を変えることで、外観上の美観に変化を与えることができる。また、第２面材の弾性を変化させることで、表面の肌触りや当りの柔らかさに容易に変化を与えることができる。
【図面の簡単な説明】
【０００９】
【図１】本発明の実施の一形態を示した斜視図である。
【図２】図１のＡ−Ａ拡大断面図である。
【図３】圧縮力が加わった際の拡大断面図である。
【図４】圧縮力を取り除いた後の状態を示す拡大断面図である。
【図５】本発明の他の実施形態を示した拡大断面図である。
【図６】圧縮力を取り除いた後の状態を示す拡大断面図である。
【図７】従来の風呂蓋を示す斜視図である。
【図８】従来の風呂蓋の拡大断面図である。
【発明を実施するための形態】
【００１０】
以下、実施の形態を示す図面に基づき本発明を詳説する。
図１に示すように、本発明の風呂蓋は、表面が平坦面状に形成された蓋本体部１０と、蓋本体部１０の外周縁に沿って装着された縁材６とを、有している。
【００１１】
図２に示すように、蓋本体部１０は、発泡体３に裏面１ｂが接着された内側の第１面材１と、第１面材１の表て面１ａに重ね合わせた外側の第２面材２とを、備え、第２面材２は、第１面材１の表て面１ａに、周端縁部１２のみを固着して中間域を非接着状態としている。
発泡体３は、硬質の発泡ウレタン又は発泡ポリエチレンから成る。第１面材１，１と縁材６によって包囲された蓋内部空間７に加熱したウレタン樹脂を注入し、金型内でウレタン樹脂を発泡・硬化させることで、発泡体３が蓋内部空間７に充填され、この内部発泡と同時に発泡体３が第１面材１の裏面１ｂの略全面に接着一体化される。なお、発泡体３を構成する硬質の発泡ウレタン又は発泡ポリエチレンは、ある一定以上の強い圧縮力Ｆを加えると、塑性変形して圧縮永久歪みが生じ、完全には元の形状に戻らなくなる（復元性に乏しい）ものである。なお、第１面材１と第２面材２は、蓋内部空間７での発泡体３の内部発泡を行う前に、周縁部を相互に、予め固着されている。第１面材１と第２面材２の周縁部において相互に予め固着したことにより、蓋内部空間７の内部で発泡体３が発泡する際に、第１面材１と第２面材２の間に浸入しない。
【００１２】
第１面材１は、ＰＰ（ポリプロピレン）、ＡＢＳ等の合成樹脂や（Ａｌ，ステンレス等の）金属から成る。また、第２面材２は、ＰＰ、ＡＢＳ、発泡ＰＥ、発泡ＰＰ等の合成樹脂から成る。第１面材１の表て面１ａと、第２面材２の周端縁部１２との固着幅寸法Ｗ０は、５ｍｍ〜１０ｍｍに設定されている。固着幅寸法Ｗ０が５ｍｍ未満であると、第１面材１と第２面材２の固着の強度が不足し、発泡体３が第１面材１と第２面材２の間に浸入してしまう虞れがある。また、固着幅寸法Ｗ０が１０ｍｍを超えると、周端縁部１２近傍に圧縮力が付加されて発泡体３が凹んだ場合に、固着幅寸法Ｗ０の範囲内で第２面材２が第１面材１に追従して凹みが残ってしまう。第１面材１と第２面材２との固着には、接着剤や両面テープを用いても良く、あるいは、超音波溶着や熱溶着しても良い。第１面材１は、裏面１ｂの略全面に発泡体３が接着していて剥がすことが困難であるが、第１面材１と第２面材２との固着は周端縁部１２のみである為、第１面材１から第２面材２を剥がして容易に取外すことができ、第２面材２のみを交換することが可能である。第１面材１の厚さ寸法Ｔ１と、第２面材２の厚さ寸法Ｔ２の関係は、Ｔ１≧Ｔ２とするのが好ましい。
【００１３】
縁材６は、ゴムやエラストマーを使用するのが好ましい。
縁材６は、鉛直壁部２０と、鉛直壁部２０の上下両端部に連設される外嵌状突片部２１，２１と、外嵌状突片部２１，２１と共働して第１面材１・第２面材２の周端縁部１２を差込む差込凹溝２３，２３を形成する内嵌状突片部２２，２２とを、有している。差込凹溝２３には、発泡体３が浸入し、縁材６と第１面材１・第２面材２は接着一体化されている。
【００１４】
上述した本発明の風呂蓋の使用方法（作用）について説明する。
図３に示すように、蓋本体部１０に第２面材２の外側から圧縮力Ｆを加えると、発泡体３に圧縮永久変形（歪み）による凹みＺが生じる。
その後、図４に示すように、圧縮力Ｆ（図３参照）が取り除かれると、発泡体３と第１面材１は、元の形状に戻らず凹みＺが残るが、第２面材２は、第１面材１から離れて矢印Ｇの如く平らな状態に弾性復元して、第２面材２の表て面（蓋本体部１０の表面）は、平滑面状となる。発泡体３は、圧縮永久変形を生じ易い（復元性に乏しい）ため、凹みが残るが、発泡体３と一体状の第１面材１も、発泡体３の凹みに追随して凹んだままであって、全体として凹みＺを残留する。しかしながら、外観上は、図４に示したように弾性復元した第２面材２によって、この凹みＺが隠れる。
【００１５】
次に、本発明の他の実施形態について説明する。
図５では、蓋内部空間７に充填された発泡体３に裏面１ｂが接着された第１面材１と、第１面材１の表て面１ａに周端縁部１４のみが固着され中間域を非接着状態で重ね合わせたシート状弾性体（弾性シート体）４と、シート状弾性体４に重ね合わせた第２面材２とを、備えている。なお、第１面材１とシート状弾性体４は、蓋内部空間７での発泡体３の内部発泡を行う前に、周縁部を相互に予め固着されている。第１面材１とシート状弾性体４を周縁部において相互に予め固着したことにより、蓋内部空間７の内部で発泡体３が発泡する際に、第１面材１とシート状弾性体４の間に浸入しない。
【００１６】
第１面材１の表て面１ａとシート状弾性体４の周端縁部１４との固着幅寸法Ｗ１は、５ｍｍ〜１０ｍｍに設定されている。固着幅寸法Ｗ１が５ｍｍ未満であると、第１面材１とシート状弾性体４の固着の強度が不足し、発泡体３が第１面材１とシート状弾性体４の間に浸入してしまう虞れがある。また、固着幅寸法Ｗ１が１０ｍｍを超えると、周端縁部１４近傍に圧縮力が付加されて発泡体３が凹んだ場合に、固着幅寸法Ｗ１の範囲内でシート状弾性体４及び第２面材２が第１面材１に追従して凹みが残ってしまう。第２面材２の周端縁部１２は、弾性体４の周端縁部１４に接着され、中間域を非接着状態で重ね合わされている。なお、弾性体４と第２面材２は、全域にわたって接着一体化しても良い。
図６に示すように、第２面材２の外側から圧縮力Ｆが付加されて発泡体３が凹んだ場合であっても、圧縮力Ｆを取り除いた後は、弾性体４と第２面材２が元の形状に弾発的に矢印Ｇ方向に復元し、内部に凹みＺは隠れ、第２面材２の表て面（蓋本体部１０の表面）が平滑面状に保たれる。即ち、外観が美しい平滑面を維持する。弾性体４は、弾発力をもって第２面材２の復元をサポートして、第２面材２は、圧縮力Ｆを取り除いた後、確実に凹む前の平らな状態に復元する。
【００１７】
なお、本発明は、設計変更可能であって、図２では、発泡体３の上下両面に、第１面材１・第２面材２を積層状に配設しているが、これに限定されず、第１面材１・第２面材２は、発泡体３の上下面の少なくとも一方に設けられていれば良い。例えば、図示省略するが、発泡体３の上面に、第１面材１・第２面材２を積層状に配設し、発泡体３の下面は、一層の表面材をもって被覆する構成としても良い。図５に示す図例に於ても同様である。
【００１８】
以上のように、本発明に係る風呂蓋は、蓋内部空間７に充填された硬質の発泡体３に裏面１ｂが接着された第１面材１と、第１面材１の表て面１ａに周端縁部１２のみを固着して中間域を非接着状態で重ね合わせた第２面材２とを、備えたので、第２面材２の外側から圧縮力Ｆが加わって発泡体３に凹みＺが発生した場合であっても、圧縮力Ｆを取り除けば第２面材２が平面状に復元でき、外観上凹みが見えず、見た目の平滑性を維持できる。生産上の凹凸不良が解消でき、製造能率を向上できる。また、第２面材２のみを取外して容易に交換することができる。また、第２面材２の模様や色彩等の意匠を変え、あるいは光沢性のある素材を用いることで、外観上の美観に変化を与えたり、高い意匠性の風呂蓋とすることができる。また、第２面材２の弾性を付与して、表面の肌触りや当りの柔らかさに容易に変化を与えることができる。例えば、半身浴で、肌触りやクッション性のある表て面上に本やスマートフォンを載置して、入浴の楽しみを増幅できる。その際、肘を付いて発泡体３に凹みＺが発生した場合であっても、凹みＺが第２面材２によって隠れ、外観が美しい平滑面を維持できる。
【００１９】
また、蓋内部空間７に充填された硬質の発泡体３に裏面１ｂが接着された第１面材１と、第１面材１の表て面１ａに周端縁部１４のみを固着して中間域を非接着状態で重ね合わせたシート状弾性体４と、シート状弾性体４に重ね合わせた第２面材２とを、備えたので、第２面材２の外側から圧縮力Ｆが加わって発泡体３に凹みＺが発生した場合であっても、圧縮力Ｆを取り除けばシート状弾性体４と第２面材２が平面状に復元でき、外観上凹みが見えず、見た目の平滑性を維持できる。生産上の凹凸不良が解消でき、製造能率を向上できる。また、第２面材２のみを取外して容易に交換することができる。また、第２面材２のみを取外して容易に交換することができる。また、第２面材２の模様や色彩等の意匠を変え、あるいは光沢性のある素材を用いることで、外観上の美観に変化を与えたり、高い意匠性の風呂蓋とすることができる。また、第２面材２の弾性を付与して、表面の肌触りや当りの柔らかさに容易に変化を与えることができる。例えば、半身浴で、シート状弾性体４によって肌触りやクッション性が一層向上して、その表て面上に本やスマートフォンを載置して、入浴の楽しみを増幅できる。その際、肘を付いて発泡体３に凹みＺが発生した場合であっても、凹みＺが第２面材２によって隠れ、外観が美しい平滑面を維持できる。
【符号の説明】
【００２０】
１  第１面材
１ａ  表て面
１ｂ  裏面
２  第２面材
３  発泡体
４  弾性体
７  蓋内部空間
１２  周端縁部
１４  周端縁部
【図１】
2017000315.tif 000003
【図２】
2017000315.tif 000004
【図３】
2017000315.tif 000005
【図４】
2017000315.tif 000006
【図５】
2017000315.tif 000007
【図６】
2017000315.tif 000008
【図７】
2017000315.tif 000009
【図８】
2017000315.tif 000010